(57)【要約】    【課題】  携帯電話機から発せられる電波資源を簡易に有効利用することが可能な携帯電話蓄電システム，携帯電話機及び蓄電方法を提供することを目的とする。    【解決手段】  携帯電話機１と、携帯電話機１から発せられる電磁波を受信して電流に変換するとともに、その電流の整流を行うショットキーダイオード２と、ショットキーダイオード２と電気的に接続され、ショットキーダイオード２によって得られる電流に基づき蓄電する第１の蓄電手段（例えばニッケル水素バッテリー３）と、を備えることを特徴とする。【選択図】          図１
2006217708.tif 000002
【特許請求の範囲】
【請求項１】
携帯電話機と、
前記携帯電話機から発せられる電磁波を受信して電流に変換するとともに、当該電流の整流を行うショットキーダイオードと、
前記ショットキーダイオードと電気的に接続され、前記ショットキーダイオードによって得られる電流に基づき蓄電する第１の蓄電手段と、を備えることを特徴とする携帯電話蓄電システム。
【請求項２】
前記携帯電話蓄電システムは、前記第１の蓄電手段を複数備えており、
複数の前記第１の蓄電手段は、互いに並列に接続されることを特徴とする請求項１記載の携帯電話蓄電システム。
【請求項３】
前記携帯電話機には、当該携帯電話機が通話機能又は通信機能を発揮するための電力を蓄電する第２の蓄電手段が設けられ、
前記第２の蓄電手段は、前記第１の蓄電手段と電気的に接続可能であって、当該第１の蓄電手段から電力供給を受けることを特徴とする請求項１又は２記載の携帯電話蓄電システム。
【請求項４】
前記ショットキーダイオード及び前記第１の蓄電手段は、前記携帯電話機に設けられることを特徴とする請求項１から３のいずれか記載の携帯電話蓄電システム。
【請求項５】
前記ショットキーダイオードは、前記携帯電話機のアンテナ部分に接触して設けられることを特徴とする請求項４記載の携帯電話蓄電システム。
【請求項６】
前記第１の蓄電手段は、前記ショットキーダイオードによって得られる微弱な電流に基づき蓄電し得るニッケル水素バッテリーであることを特徴とする請求項１から５のいずれか記載の携帯電話蓄電システム。
【請求項７】
前記第１の蓄電手段は、公称電圧が１．２Ｖ，最小容量が１００ｍＡｈのニッケル水素バッテリーであることを特徴とする請求項１から６のいずれか記載の携帯電話蓄電システム。
【請求項８】
前記ショットキーダイオードの全長は、略５０ｍｍであることを特徴とする請求項１から７のいずれか記載の携帯電話蓄電システム。
【請求項９】
請求項１から８のいずれか記載の携帯電話蓄電システムで用いるショットキーダイオード及び第１の蓄電手段を備える携帯電話機。
【請求項１０】
請求項１から９のいずれか記載の携帯電話蓄電システムを用いた蓄電方法。
【発明の詳細な説明】
【技術分野】
【０００１】
本発明は、携帯電話機から発せられる電磁波を利用して蓄電を行う携帯電話蓄電システム，携帯電話機及び蓄電方法に関する。
【背景技術】
【０００２】
小型かつ軽量の移動通信端末として、携帯電話機が広く普及している。携帯電話機には、主として非金属で形成された外装ケース内部に、無線通信を行うのに必要な回路基板、送受話部及びリチウムイオン電池などが収容されている。リチウムイオン電池を用いるのは、体積エネルギー密度及び重量エネルギー密度が高く、携帯電話機を長時間駆動させ、かつ、小型軽量化するのに極めて効果的だからである。
【０００３】
一般的に、携帯電話機は、電源が入っている状態において、電話番号及び位置等の端末情報を、微弱な電磁波で最寄りの無線基地局に発信し、上位局が無線基地局を介して常に携帯電話機の位置確認等（いわゆる間欠無線通信）を行っている。そして、他のネットワーク網の携帯電話機から通信回線の接続要求があった場合には、上位局は、無線基地局を介して携帯電話機に対し呼出しを行い、通信接続を行うことで、他の携帯電話機との通話が可能となる。
【０００４】
ここで、他の携帯電話機と通話を行う際には、携帯電話機は使用者の手によって側頭部近傍に保持され、外装ケース表面に配置されたマイク及びスピーカ（上述した送受話部の一部）を通じて通話が行われる。このとき、携帯電話機からは無線基地局に向けて電磁波が逐次放射される。
【０００５】
ところで、近年になって、携帯電話機から無線基地局に向けて放射される電磁波を有効に利用しようとする試みがなされている。例えば、特許文献１記載の発明は、受信アンテナと、整流回路と、充電回路内のバッテリーと、を有する携帯電話バッテリー自動充電装置であり、この携帯電話バッテリー自動充電装置によれば、携帯電話機から放射される電磁波を用いてバッテリーを充電することができるため、バッテリーを充電するための商用電源の設備がない場所においても、携帯電話機の使用を長時間に渡って継続することができるようになっている。
【０００６】
【特許文献１】特開平１１−２３４９１４（段落番号［００１５］，［００２８］）
【発明の開示】
【発明が解決しようとする課題】
【０００７】
しかしながら、上述した特許文献１記載の発明では、電波資源を簡易に有効利用することができない。
【０００８】
すなわち、特許文献１に係る携帯電話バッテリー自動充電装置は、上述のとおり受信アンテナと、整流回路と、充電回路内のバッテリー（ほとんどは携帯電話機に最適なリチウムイオン電池）と、から構成され、整流回路は４個の整流ダイオードからなる全波整流回路から構成されているため（特許文献１の図２参照）、充電回路内のバッテリーに電流を供給するまでに複数の素子・配線が必要となり、簡易に電波資源を有効利用するものとはいえない。なお、整流回路の他の実施形態として、ＯＰアンプを用いた非反転型半波整流回路なども考えられるが、特許文献１と同様、簡易に電波資源を有効利用するものとはいえない。
【０００９】
本発明は、このような点に鑑みてなされたものであり、その目的は、携帯電話機から発せられる電波資源を簡易に有効利用することが可能な携帯電話蓄電システム，携帯電話機及び蓄電方法を提供することにある。
【課題を解決するための手段】
【００１０】
以上のような課題を解決するために、本発明は、以下のものを提供する。
【００１１】
（１）  携帯電話機と、前記携帯電話機から発せられる電磁波を受信して電流に変換するとともに、当該電流の整流を行うショットキーダイオードと、前記ショットキーダイオードと電気的に接続され、前記ショットキーダイオードによって得られる電流に基づき蓄電する第１の蓄電手段と、を備えることを特徴とする携帯電話蓄電システム。
【００１２】
本発明によれば、携帯電話蓄電システムに、携帯電話機と、携帯電話機から発せられる電磁波（例えば周波数１．５ＧＨｚの電磁波）を受信して電流に変換するとともに、その電流の整流を行うショットキーダイオードと、ショットキーダイオードによって得られる電流に基づき蓄電する第１の蓄電手段と、が設けられることとしたから、ショットキーダイオードで発生した微弱な電流が第１の蓄電手段に供給され、第１の蓄電手段では適切な蓄電が行われることになる。
【００１３】
従って、上述した特許文献１記載の携帯電話バッテリー自動充電装置のように、４個のダイオードからなる整流回路や受信アンテナを必要とすることなく、携帯電話機から発せられる電波資源を簡易に有効利用することができる。
【００１４】
なお、ショットキーダイオードを用いて電磁波を利用する方法として、携帯電話機のストラップ等にアクセサリとして付けられる自発光式アンテナがある。この自発光式アンテナは、電磁波を送受信するためのアンテナと、アンテナの先端に付けられた発光部と、から構成されている。そして、その発光部には、金属製のコイル，ショットキーダイオード及び発光ダイオード，コンデンサなどの素子が内装されている。しかし、かかる自発光式アンテナは、あくまで携帯電話機用のアクセサリとしての利用態様で広く知られているのであって、電磁波を電気エネルギーに変換する利用態様では注目すらされていない。その理由は、自発光式アンテナを用いて蓄電を試みても、ショットキーダイオードで発生する電流が微弱であるため、携帯電話機のバッテリー（リチウムイオン電池）を充電するのは困難だからである。本発明は、携帯電話蓄電システムの構成要素として、ショットキーダイオードによって得られる微弱な電流に基づき蓄電する第１の蓄電手段を設けることで、かかる問題までも解決し得るものである。
【００１５】
ここで、「第１の蓄電手段」の具体例としては、ニッカド電池，ニッケル水素電池，リチウムイオン電池などの電池で、公称電圧及び最小容量が小さいものが挙げられるが、本発明はこれらのいずれかに限定する趣旨ではない。ショットキーダイオードによって得られる微弱な電流に基づき蓄電し得るものであれば、如何なるものであっても構わない。
【００１６】
（２）  前記携帯電話蓄電システムは、前記第１の蓄電手段を複数備えており、複数の前記第１の蓄電手段は、互いに並列に接続されることを特徴とする（１）記載の携帯電話蓄電システム。
【００１７】
本発明によれば、上述した携帯電話蓄電システムに、第１の蓄電手段を複数設け、それら複数の第１の蓄電手段を互いに並列に接続することとしたから、第１の蓄電手段の全容量を増加させることができる。
【００１８】
従って、１度に多くの蓄電が可能となり、携帯電話機から発せられる電波資源を、より効果的に利用することができる。また、第１の蓄電手段の長寿命化に資することができる。
【００１９】
（３）  前記携帯電話機には、当該携帯電話機が通話機能又は通信機能を発揮するための電力を蓄電する第２の蓄電手段が設けられ、前記第２の蓄電手段は、前記第１の蓄電手段と電気的に接続可能であって、当該第１の蓄電手段から電力供給を受けることを特徴とする（１）又は（２）記載の携帯電話蓄電システム。
【００２０】
上述した携帯電話機には、携帯電話機が通話機能又は通信機能を発揮するための電力を蓄電する第２の蓄電手段（例えば公称電圧３．８Ｖ，最小容量６５０ｍＡｈのリチウムイオン電池）が設けられ、その第２の蓄電手段は、上述した第１の蓄電手段と電気的に接続可能であって、第１の蓄電手段から電力の供給を受けることとしたから、ショットキーダイオード→第１の蓄電手段という流れで蓄電された電力を、第１の蓄電手段→第２の蓄電手段という流れで電力供給することができる。
【００２１】
従って、携帯電話機から発せられる電波資源を簡易に有効利用することができるとともに、バッテリー（第２の蓄電手段）を充電するための商用電源の設備がない場所においても、携帯電話機の使用を長時間に渡って継続することができる。また、本発明によれば、携帯電話機から発せられる電波資源を用いて充電することができるため、一般的に携帯電話機を充電する際に必要なアダプターを用いることなく充電することが可能となり、その結果、他機種（アダプターの形状が異なっている機種）の携帯電話機から発せられる電波資源を用いて充電するなど、利便性・汎用性を向上させることができる。
【００２２】
（４）  前記ショットキーダイオード及び前記第１の蓄電手段は、前記携帯電話機に設けられることを特徴とする（１）から（３）のいずれか記載の携帯電話蓄電システム。
【００２３】
上述したショットキーダイオードと第１の蓄電手段は、携帯電話機に設けられることとしたから、携帯電話機のみを持ち歩いている場合であっても、携帯電話機から無線基地局に向けて電磁波が放射されるときに、第１の蓄電手段を通じてバッテリー（第２の蓄電手段）を充電することができるようになり、ひいては携帯電話機から発せられる電波資源を簡易に有効利用することができる。
【００２４】
（５）  前記ショットキーダイオードは、前記携帯電話機のアンテナ部分に接触して設けられることを特徴とする（４）記載の携帯電話蓄電システム。
【００２５】
本発明によれば、上述したショットキーダイオードは、携帯電話機のアンテナ部分に接触して設けられることとしたから、携帯電話機から電磁波が最も強く放射される部分で電磁波を電気エネルギーに変換することができ、ひいては携帯電話機から発せられる電波資源を簡易かつ効率的に有効利用することができる。
【００２６】
ここで、ショットキーダイオードを、携帯電話機の表側におけるアンテナ部分に接触して設けることもできる。かかる構成によれば、人体に有害な電磁波を低減することが可能になる。
【００２７】
すなわち、近年、使用者の頭部を通過する電磁波の人体（特に脳）への悪影響が懸念されている。例えば、携帯電話機から発せられる電磁波のエネルギーは、脳内中央に、異常に温度が上昇した熱集中点を出現させ、内分泌をコントロールする磁気器官に対してダメージを与える危険性をもっている。このように、携帯電話機から発せられる電磁波は、特定の健康障害を引き起こす可能性があるが、上述したように、ショットキーダイオードを携帯電話機の表側におけるアンテナ部分に接触して設けることによって（ショットキーダイオードを携帯電話機のアンテナ部分と側頭部との間に介在させることによって）、余分な電磁波がショットキーダイオードによって吸収（電気エネルギーに変換）されることから、人体に有害な電磁波（特に、脳を通過する電磁波）を低減することが可能になる。
【００２８】
なお、ここではショットキーダイオードを携帯電話機の表側におけるアンテナ部分に接触して設けることとしたが、本発明はこれに限られず、人体に有害な電磁波を低減し得ることができれば、携帯電話機の裏側におけるアンテナ部分に接触して設けることとしてもよい。また、ここではショットキーダイオードを携帯電話機の表側又は裏側に設けることによって、特に、脳を通過する電磁波を低減することとしたが、例えば、心臓付近に設けることによって、心臓（或いはペースメーカー）を通過する電磁波（妨害電磁波）も低減することが可能になる。
【００２９】
（６）  前記第１の蓄電手段は、前記ショットキーダイオードによって得られる微弱な電流に基づき蓄電し得るニッケル水素バッテリーであることを特徴とする（１）から（５）のいずれか記載の携帯電話蓄電システム。
【００３０】
本発明によれば、上述した第１の蓄電手段は、ショットキーダイオードによって得られた微弱な電流に基づき蓄電し得るニッケル水素バッテリーであることとしたから、そのニッケル水素バッテリーにおいて適切な蓄電が行われ、携帯電話機から発せられる電波資源を簡易に有効利用することができる。
【００３１】
（７）  前記第１の蓄電手段は、公称電圧が１．２Ｖ，最小容量が１００ｍＡｈのニッケル水素バッテリーであることを特徴とする（１）から（６）のいずれか記載の携帯電話蓄電システム。
【００３２】
上述した第１の蓄電手段は、公称電圧が１．２Ｖ，最小容量が１００ｍＡｈのニッケル水素バッテリーであることとしたから、かかる定格を有するニッケル水素バッテリーにおいて最適な蓄電が行われ、携帯電話機から発せられる電波資源を簡易に有効利用することができる。
【００３３】
（８）  前記ショットキーダイオードの全長は、略５０ｍｍであることを特徴とする（１）から（７）のいずれか記載の携帯電話蓄電システム。
【００３４】
本発明によれば、上述したショットキーダイオードの全長は、略５０ｍｍであることとしたから、携帯電話機が無線通信を行う際に用いる電磁波であって、現在主流となっている約１．５ＧＨｚの電磁波を効率よく吸収（電気エネルギーに変換）することができ、ひいては携帯電話機から発せられる電波資源を簡易に有効利用することができる。
【００３５】
（９）  （１）から（８）のいずれか記載の携帯電話蓄電システムで用いるショットキーダイオード及び第１の蓄電手段を備える携帯電話機。
【００３６】
本発明によれば、携帯電話機に、上述した携帯電話蓄電システムで用いるショットキーダイオード及び第１の蓄電手段を設けることとしたので、携帯電話機から発せられる電波資源を簡易に有効利用し得る携帯電話機を提供することができる。
【００３７】
（１０）  （１）から（９）のいずれか記載の携帯電話蓄電システムを用いた蓄電方法。
【００３８】
本発明によれば、蓄電方法に、上述した携帯電話蓄電システムを用いることとしたので、携帯電話機から発せられる電波資源を簡易に有効利用し得る蓄電方法を提供することができる。
【発明の効果】
【００３９】
以上説明したように、本発明は、ショットキーダイオードと第１の蓄電手段を利用して、微弱な電流に基づき適切な蓄電をするものなので、携帯電話機から発せられる電波資源を簡易に有効利用することができる。また、ショットキーダイオードを携帯電話機のアンテナ部分のうちの表側に接触して設けることで、人体に有害な電磁波（特に、脳を通過する電磁波）を低減することができる。
【発明を実施するための最良の形態】
【００４０】
以下、本発明の実施の形態を、図面を参照しながら説明する。
【００４１】
［携帯電話蓄電システム］
図１は、本発明の実施の形態に係る携帯電話蓄電システムのシステム概要図である。
【００４２】
図１において、本発明の実施の形態に係る携帯電話蓄電システムは、携帯電話機１と、ショットキーダイオード２と、第１の蓄電手段の一例としてニッケル水素バッテリー３と、から構成される。
【００４３】
携帯電話機１は、自由空間中の電界を受信するアンテナ１１を備えており、そのアンテナ１１から微弱な電磁波で電話番号及び位置等の端末情報を最寄りの無線基地局（図示せず）に随時発信する、いわゆる間欠無線通信を行っている。そして、他のネットワーク網の携帯電話機から携帯電話機１との通信回線の接続要求があった場合に、上位局（図示せず）は、無線基地局を介して携帯電話機１に対し呼出しを行う。これに呼応して携帯電話機１から、例えば１．５ＧＨｚ或いは８００ＭＨｚ等の電磁波がアンテナ１１を介して発信され、通信接続が行われる。
【００４４】
ショットキーダイオード（ショットキーバリアダイオードともいう）２は、検波ダイオードの一種であり、金属と半導体とを接触させた構造となっている。そして、接触面に整流作用をもつ。このショットキーダイオード２を用いれば、高速・高周波での動作が可能になるとともに、逆回復（リカバリ）特性を良好なものとすることが可能になる。
【００４５】
ニッケル水素バッテリー３は、例えば、正極板と負極板とがセパレータで隔離された状態で渦巻状に巻かれており、金属ケースの中に収納されている。そして、水素イオンが正極板側に移動すると、電流を取り出すことができる。逆に、電流が供給されると、水素イオンが負極板側に移動し、蓄電が行われる。このように、ニッケル水素バッテリー３は、水素吸蔵合金とアルカリ電解液との間で起きる化学反応を利用して蓄電を行うものである。
【００４６】
次に、図１に示すシステム概要図の動作を説明する。まず、他のネットワーク網の携帯電話機から携帯電話機１との通信回線の接続要求があった場合は、上述のとおり、携帯電話機１は、アンテナ１１を介して、例えば１．５ＧＨｚ或いは８００ＭＨｚ等の電磁波を発信する。なお、通話中も、適宜この電磁波を発信している。
【００４７】
次いで、この電磁波が、ショットキーダイオード２とニッケル水素バッテリー３からなる直列回路によりキャッチされる。より具体的には、ショットキーダイオード２の全長を適宜調整することにより、ショットキーダイオード２において携帯電話機１から発せられた電磁波が電流に変換されるとともに、その電流の整流が行われる。例えば、携帯電話機１から発せられる電磁波が１．５ＧＨｚであれば、ショットキーダイオードの全長を略５０ｍｍとすることによって、適切に（効率良く）電磁波をキャッチすることができる。
【００４８】
なお、ここではショットキーダイオード２とニッケル水素バッテリー３とを繋ぐ配線を無視したが、これを考慮して、ショットキーダイオード２とニッケル水素バッテリー３からなる直列回路全体の回路長を略５０ｍｍとするようにしてもよい。
【００４９】
最後に、ショットキーダイオード２において整流された微弱な電流は、ニッケル水素バッテリー３において蓄電されることとなる。このとき、ショットキーダイオード２で発生する電流が微弱であるため、なるべく公称電圧及び最小容量の小さいものが好ましい。例えば、公称電圧が１．２Ｖ，最小容量が１００ｍＡｈのニッケル水素バッテリーを採用することができる。これにより、ショットキーダイオード２で整流された微弱電流に基づき適切に蓄電することができる。
【００５０】
このように、本発明の実施の形態に係る携帯電話蓄電システムによれば、携帯電話機から発せられる電波資源を簡易に有効利用することができる。
【００５１】
［変形例］
図２は、本発明の他の実施の形態に係る携帯電話蓄電システムのシステム概要図である。なお、図１と同じ電気要素については、同符号で示すものとする。
【００５２】
図２において、本発明の他の実施の形態に係る携帯電話蓄電システムでは、３個のニッケル水素バッテリー３ａ，３ｂ，３ｃが互いに並列に接続されている。このようにすることで、ニッケル水素バッテリーの全容量を増加させることができ、ひいては携帯電話機から発せられる電波資源を、より効果的に利用することができる。また、ニッケル水素バッテリーの長寿命化に資することもできる。
【００５３】
図３は、携帯電話機１に設けられたリチウムイオン電池１２に対して電力供給を行う様子を示す説明図である。なお、図１と同じ電気要素については、同符号で示すものとする。
【００５４】
図３（ａ）において、ニッケル水素バッテリー３では、ショットキーダイオード２によって得られる電流Ｉに基づき蓄電が行われる。そして、蓄電が完了すると、携帯電話機１が通話機能又は通信機能を発揮するための電力を蓄電するリチウムイオン電池１２に対し、ニッケル水素バッテリー３に蓄電された電力が、電力線等を介して供給される（図３（ｂ））。このようにすることで、リチウムイオン電池１２を充電するための商用電源の設備がない場所においても、携帯電話機１の使用を長時間に渡って継続することができる。
【００５５】
図４は、本発明の他の実施の形態に係る携帯電話蓄電システムのシステム概要図である。なお、図１と同じ電気要素については、同符号で示すものとする。
【００５６】
図４において、ショットキーダイオード２及びニッケル水素バッテリー３は、携帯電話機１に内蔵されている。このようにすることで、携帯電話機１のみを持ち歩いている場合であっても、携帯電話機１から無線基地局に向けて電磁波が放射されるときに、ショットキーダイオード２及びニッケル水素バッテリー３を通じてリチウムイオン電池１２を充電することができるようになり（図３参照）、ひいては携帯電話機から発せられる電波資源を簡易に有効利用することができる。
【００５７】
図５は、本発明の他の実施の形態に係る携帯電話蓄電システムのシステム概要図である。なお、図１と同じ電気要素については、同符号で示すものとする。
【００５８】
図５において、ショットキーダイオード２は、携帯電話機１のアンテナ１１に接触して設けられている。しかも、ショットキーダイオード２は、アンテナ１１と筐体との境目付近に設けられている。これにより、携帯電話機１から電磁波を効率良く電気エネルギーに変換することができ、ひいては携帯電話機１から発せられる電波資源を簡易かつ効率的に有効利用することができる。
【００５９】
なお、後述する実験結果によれば、アンテナ１１と筐体との境目から１ｃｍ又は２ｃｍ程度上方付近（図７でいう−１又は−２の位置）が好ましい。これにより、電波資源を最も効率的に有効利用することができる。
【００６０】
図６は、図５に示す本発明の他の実施の形態に係る携帯電話蓄電システムにおいて、ショットキーダイオード２を携帯電話機１の表側に設けたときの様子を説明するための説明図である。
【００６１】
図６において、ショットキーダイオード２は、携帯電話機１の表側、すなわち携帯電話機１の外装ケース（筐体）表面においてマイクやスピーカが配置された側に設けられている。このようにすることで、余分な電磁波がショットキーダイオード２によって吸収（電気エネルギーに変換）され、人体に有害な電磁波（特に、脳を通過する電磁波）を低減することができる。
【実施例】
【００６２】
図７は、本発明の実施例に係る携帯電話蓄電システムのシステム概要図である。
基本的には、図１に示す携帯電話蓄電システムと同様であるが、ここではショットキーダイオード２をアンテナ１１に接触させた（図７（ａ）参照）。
【００６３】
また、ショットキーダイオード２として、（株）日立社製のショットキーダイオード「１ＳＳ１０６」と、（株）ルネサステクノロジ社製の小信号用ショットキーダイオード「１ＳＳ８６」と、（株）ルネサステクノロジ社製のスイッチングダイオード「１Ｓ２０７６Ａ」という３種類のものを用いた。また、ニッケル水素バッテリー３として、（株）神奈川社製のニッケル水素電池（円筒形，ＧＰ型式：ＧＰ１０ＡＡＡＨＲ，素電池規格：１／３ＡＡＡ，公称電圧：１．２Ｖ，最小容量：１００ｍＡｈ，代表容量：１１０ｍＡｈ，直径：１０．４ｍｍ，高さ：１５．６ｍｍ）と、同社製のニッケル水素電池（円筒形，ＧＰ型式：ＧＰ１６ＡＡＡＭ，素電池規格：１／３ＡＡＡ，公称電圧：１．２Ｖ，最小容量：１６０ｍＡｈ，代表容量：１６８ｍＡｈ，直径：１０．２ｍｍ，高さ：１４．６ｍｍ）という２種類のものを用いた。
【００６４】
一方で、ショットキーダイオード２をアンテナ１１に接触させる位置として、アンテナ１１と筐体との境目を０とし、そこから外方向（図７では上方向）に１ｃｍ毎に−１，−２と目盛りを振った（図７（ａ）参照）。同様に、０の位置から携帯電話機１の内方向（図７では下方向）に１ｃｍ毎に１，２と目盛りを振った（図７（ａ）参照）。また、ショットキーダイオード２の全長をｌとし、カソード側の先端をＡ，カソード側の基端をＢ１，アノード側の基端をＢ２，アノード側の先端をＣとした。
【００６５】
以下、かかる携帯電話蓄電システムにおいて行った実験結果について説明する。
【００６６】
図８及び図９は、図７に示す携帯電話蓄電システムにおいて統計分析を行ったときの棒グラフである。より具体的には、図８は、ショットキーダイオード２の３個の種類（「１ＳＳ１０６」，「１ＳＳ８６」，「１Ｓ２０７６Ａ」），ショットキーダイオード２の３個の測定部位（ＡＢ１，ＡＣ，Ｂ１Ｂ２），ショットキーダイオード２の３個の全長ｌ（６０ｍｍ，５０ｍｍ，４０ｍｍ），アンテナ１１の３個の位置（−２，−１，０，１，２）のうちの２種類に着目して統計分析を行ったときの棒グラフである。なお、縦軸はショットキーダイオード２で得られる起電力［Ｖ］を示している。一方で、図９は、ショットキーダイオード２の３個の種類（「１ＳＳ１０６」，「１ＳＳ８６」，「１Ｓ２０７６Ａ」）について統計分析を行ったときの棒グラフである。
【００６７】
図８（ａ）では、ショットキーダイオード２の３個の種類（「１ＳＳ１０６」，「１ＳＳ８６」，「１Ｓ２０７６Ａ」）それぞれにおいて、ショットキーダイオード２の測定部位をＡＢ１，ＡＣ，Ｂ１Ｂ２と変えたときの起電力が示されており、この図によれば、ショットキーダイオード２の種類は「１ＳＳ１０６」、ショットキーダイオード２の測定部位はＡＣ、という条件が最適であることが分かる。また、図８（ｂ）では、ショットキーダイオード２の３個の種類（「１ＳＳ１０６」，「１ＳＳ８６」，「１Ｓ２０７６Ａ」）それぞれにおいて、ショットキーダイオード２の全長ｌを６０ｍｍ，５０ｍｍ，４０ｍｍと変えたときの起電力が示されており、この図によれば、ショットキーダイオード２の種類は「１ＳＳ１０６」、ショットキーダイオード２の全長ｌは５０ｍｍ、という条件が最適であることが分かる。また、図８（ｃ）では、アンテナ１１の３個の位置（−２，−１，０，１，２）それぞれにおいて、ショットキーダイオード２の種類を「１ＳＳ１０６」，「１ＳＳ８６」，「１Ｓ２０７６Ａ」と変えたときの起電力が示されており、この図によれば、アンテナ１１の位置は−２、ショットキーダイオード２の種類は「１ＳＳ１０６」、という条件が最適であることが分かる。また、図８（ｄ）によれば、ショットキーダイオード２の３個の測定部位（ＡＢ１，ＡＣ，Ｂ１Ｂ２）それぞれにおいて、ショットキーダイオード２の全長ｌを６０ｍｍ，５０ｍｍ，４０ｍｍと変えたときの起電力が示されており、この図によれば、ショットキーダイオード２の測定部位はＡＣ、ショットキーダイオード２の全長ｌは５０ｍｍ、という条件が最適であることが分かる。また、図８（ｅ）では、アンテナ１１の３個の位置（−２，−１，０，１，２）それぞれにおいて、ショットキーダイオード２の測定部位をＡＢ１，ＡＣ，Ｂ１Ｂ２と変えたときの起電力が示されており、この図によれば、アンテナ１１の位置は−２（又は−１）、ショットキーダイオード２の測定部位はＡＣ、という条件が最適であることが分かる。最後に、図８（ｆ）では、アンテナ１１の３個の位置（−２，−１，０，１，２）それぞれにおいて、ショットキーダイオード２の全長ｌを６０ｍｍ，５０ｍｍ，４０ｍｍと変えたときの起電力が示されており、この図によれば、アンテナ１１の位置は−２、ショットキーダイオード２の全長ｌは５０ｍｍ、という条件が最適であることが分かる。
【００６８】
ここで、図８（ｃ），（ｅ），（ｆ）によれば、アンテナ１１の位置が−２のときと−１のときとで大差はない。従って、ショットキーダイオード２の種類は「１ＳＳ１０６」、ショットキーダイオード２の測定部位はＡＣ、ショットキーダイオードの全長ｌは５０ｍｍ、アンテナ１１の位置は−１、という条件下で携帯電話機１から電磁波を放射することによっても、ショットキーダイオード２において最も効率よく起電力を発生させることができる。
【００６９】
次に、ショットキーダイオード２の３個の種類（「１ＳＳ１０６」，「１ＳＳ８６」，「１Ｓ２０７６Ａ」）について統計分析を行ったときの実験結果を説明する。
【００７０】
図９によれば、ショットキーダイオード２の種類として「１ＳＳ１０６」を採用したときに、最も大きな起電力（約１．１Ｖ）が発生している。すなわち、ショットキーダイオード２の種類を「１ＳＳ１０６」として、携帯電話機１から電磁波を放射することによって、ショットキーダイオード２において最も効率よく起電力を発生させることができるのが分かる。
【００７１】
図１０は、上記実験結果を踏まえ、ショットキーダイオード２の種類として「１ＳＳ１０６」を採用した場合において、アンテナ１１の位置（ｃｍ）をＸ軸，ダイオード（ショットキーダイオード２）の測定部位をＹ軸とし、ショットキーダイオード２の全長ｌを変えたときの起電力をプロットした３次元グラフである。
【００７２】
図１０によれば、上述したように、ショットキーダイオード２の種類は「１ＳＳ１０６」、ショットキーダイオード２の測定部位はＡＣ、ショットキーダイオードの全長ｌは５０ｍｍ、アンテナ１１の位置は−１、という条件下で携帯電話機１から電磁波を放射することによって、ショットキーダイオード２において最も効率よく起電力を発生させることができるのが分かる（図中の黒丸参照）。
【００７３】
図１１は、本発明の実施例に係る携帯電話蓄電システムにおいて、ショットキーダイオード２で生じる起電力の時間変化に関する実験結果を示す図である。より具体的には、ショットキーダイオード２の種類は「１ＳＳ１０６」、ショットキーダイオード２の測定部位はＡＣ、ショットキーダイオードの全長ｌは５０ｍｍ、アンテナ１１の位置は−１を採用して、ショットキーダイオード２で生じる起電力の時間変化に関する実験を２回行った。１回目の実験結果がグラフ１１で示されており、２回目の実験結果がグラフ１２で示されている。
【００７４】
図１１中のグラフ１１及びグラフ１２によれば、ショットキーダイオード２では約２．５Ｖ〜３．５Ｖ（ショットキーダイオード２の種類（「１ＳＳ１０６」，「１ＳＳ８６」，「１Ｓ２０７６Ａ」）を変えた場合には、平均して３．２９Ｖ）の起電力が生じることが分かる。このように、携帯電話機１から発せられる電波資源を用いて、簡易に、蓄電するための起電力を発生させることができる。
【００７５】
図１２は、本発明の実施例に係る携帯電話蓄電システムにおいて、蓄電されたニッケル水素バッテリー３に紫外線ＬＥＤを接続し、ニッケル水素バッテリー３から得られる電圧の時間変化に関する実験結果を示す図である。より具体的には、まず、５．２Ｖの定電圧器で、ニッケル水素バッテリーをＭＡＸ４．６Ｖになるまで約６分充電した。そして、互いに並列に接続された４．８Ｖ，１２０ｍＡのニッケル水素バッテリー３の数を１個から４個に変え、また、互いに直列に接続された３９５ｎｍ〜４０５ｎｍの紫外線ＬＥＤの数を１個から４個に変えて、ニッケル水素バッテリー３の放電に関する実験を複数回行った。グラフ２１はニッケル水素バッテリー１個，紫外線ＬＥＤ２個の場合における電圧の時間変化（「１個，２個」で表す）を示している。以下同様に、グラフ２２は「４個，１個」、グラフ２３は「３個，１個」、グラフ２４は「２個，１個」、グラフ２５は「４個，２個」、グラフ２６は「３個，２個」、グラフ２７は「３個，４個」、グラフ２８は「４個，３個」、グラフ２９は「２個，２個」、グラフ３０は「３個，３個」、グラフ３１は「２個，４個」、グラフ３２は「１個，１個」、グラフ３３は「３個，４個」、グラフ３４は「２個，３個」、グラフ３５は「１個，３個」、グラフ３６は「１個，４個」を示している。なお、紫外線ＬＥＤは、約３．３Ｖぐらいで、かろうじて光る。
【００７６】
図１２中のグラフ２１〜グラフ３６によれば、互いに並列に接続されたニッケル水素バッテリー３の数が多ければ多いほど、そして、互いに直列に接続された紫外線ＬＥＤの数が少なければ少ないほど、長時間点灯可能であることが分かる。特に、最も長時間点灯させる、という観点からみれば、（４５７秒経過した時点で、ニッケル水素バッテリー３から得られる電圧が最も大きい）グラフ２２が示しているように、ニッケル水素バッテリー３の数を４個、紫外線ＬＥＤの数を１個とするのが好ましい。また、数多くの紫外線ＬＥＤを効率よく点灯させる、という観点からみれば、（４５７秒経過しても約３．３Ｖ以上を維持している）グラフ２５が示しているように、ニッケル水素バッテリー３の数を４個、紫外線ＬＥＤの数を２個とするのが好ましい。
【００７７】
図１３は、本発明の実施例に係る携帯電話蓄電システムにおいて、携帯電話機１で放射される電磁波によってニッケル水素バッテリー３が充電されたときの実験結果を示す図である。より具体的には、互いに並列に接続された４．８Ｖ，１２０ｍＡのニッケル水素バッテリー３の数を１個から４個に変えて、ニッケル水素バッテリー３の充電に関する実験を複数回行った。グラフ４１はニッケル水素バッテリー３が１個のときを示しており、グラフ４２はニッケル水素バッテリー３が２個のときを示しており、グラフ４３はニッケル水素バッテリー３が３個のときを示しており、グラフ４４はニッケル水素バッテリー３が４個のときを示している。
【００７８】
図１３中のグラフ４１〜グラフ４４によれば、携帯電話機１によって充電されたときのニッケル水素バッテリー３の両端の電圧は、互いに並列に接続されたニッケル水素バッテリー３の数が少なければ少ないほど、大きいものとなっている。また、約９０秒程度充電すれば、グラフ４１〜グラフ４４のいずれもがピーク値に達していることから、本発明の実施例に係る携帯電話蓄電システムにおける最適な充電時間は約９０秒であるといえる。
【００７９】
以上説明したように、本発明の実施例に係る携帯電話蓄電システムによれば、上述したショットキーダイオード２によって、携帯電話機１から発せられる電磁波から微弱な電流を得ることができ、そして、上述したニッケル水素バッテリー３によって、その微弱な電流を適切に蓄電することができる
【産業上の利用可能性】
【００８０】
本発明に係る携帯電話蓄電システム，携帯電話機及び蓄電方法は、携帯電話機から発せられる電波資源を簡易に有効利用することができるものとして有用である。
【図面の簡単な説明】
【００８１】
【図１】本発明の実施の形態に係る携帯電話蓄電システムのシステム概要図である。
【図２】本発明の他の実施の形態に係る携帯電話蓄電システムのシステム概要図である。
【図３】携帯電話機に設けられたリチウムイオンバッテリーに対して電力供給を行う様子を示す説明図である。
【図４】本発明の他の実施の形態に係る携帯電話蓄電システムのシステム概要図である。
【図５】本発明の他の実施の形態に係る携帯電話蓄電システムのシステム概要図である。
【図６】図５に示す本発明の他の実施の形態に係る携帯電話蓄電システムにおいて、ショットキーダイオードを携帯電話機の表側に設けたときの様子を説明するための説明図である。
【図７】本発明の実施例に係る携帯電話蓄電システムのシステム概要図である。
【図８】図７に示す携帯電話蓄電システムにおいて統計分析を行ったときの棒グラフである。
【図９】図７に示す携帯電話蓄電システムにおいて統計分析を行ったときの棒グラフである。
【図１０】ショットキーダイオードにおける起電力をプロットした３次元グラフである。
【図１１】本発明の実施例に係る携帯電話蓄電システムにおいて、ショットキーダイオードで生じる起電力の時間変化に関する実験結果を示す図である。
【図１２】本発明の実施例に係る携帯電話蓄電システムにおいて、蓄電されたニッケル水素バッテリーに紫外線ＬＥＤを接続し、ニッケル水素バッテリーから得られる電圧の時間変化に関する実験結果を示す図である。
【図１３】本発明の実施例に係る携帯電話蓄電システムにおいて、携帯電話機で放射される電磁波によってニッケル水素バッテリーが充電されたときの実験結果を示す図である。
【符号の説明】
【００８２】
１  携帯電話機
２  ショットキーダイオード
３  第１の蓄電手段
１１  アンテナ
１２  第２の蓄電手段
【図１】
2006217708.tif 000003
【図２】
2006217708.tif 000004
【図３】
2006217708.tif 000005
【図４】
2006217708.tif 000006
【図５】
2006217708.tif 000007
【図６】
2006217708.tif 000008
【図７】
2006217708.tif 000009
【図１０】
2006217708.tif 000010
【図８】
2006217708.tif 000011
【図９】
2006217708.tif 000012
【図１１】
2006217708.tif 000013
【図１２】
2006217708.tif 000014
【図１３】
2006217708.tif 000015